(57)【特許請求の範囲】
【請求項１】
ヘッドレール(11)と、前記ヘッドレール(11)から垂下されたピッチキープコード(14)と、前記ピッチキープコード(14)に鉛直方向に所定のピッチをあけて前記ヘッドレール(11)に平行に支持された複数の遮光部材(21)と、前記ヘッドレール(11)から昇降可能に垂下され前記複数の遮光部材(21)を貫通して下端が最下段の遮光部材(21)に連結された昇降コード(12)とを備えた間仕切り装置において、
前記複数の遮光部材(21)は、前記ヘッドレール(11)に平行になるように前記ピッチキープコード(14)に支持された芯材(22)と、前記芯材(22)の両側から垂下するように前記芯材(22)に上縁が平板部材(24)を介して取付けられた布材又は和紙(23)とをそれぞれ有し、
前記芯材(22)の両側から垂下する前記布材又は和紙(23)は前記芯材(22)に取付けた状態での上縁から下縁までの長さが前記所定のピッチより長く形成され、
前記芯材(22)にはその断面形状において両側に互いに外側に向かって開口するＣ字状の座溝(22g)が前記芯材の全長に亘って形成され、
前記平板部材(24)が前記座溝の開口部から前記座溝(22g)に挿入可能であるけれども引き抜き不能でありかつ前記座溝の端縁より引き抜き及び再挿入可能である
ことを特徴とする間仕切り装置。
【請求項２】
前記平板部材(24)を前記座溝の端縁より引く抜くことにより前記布材又は和紙(23)の上縁は前記芯材(22)に取外し可能に取付けられた請求項１記載の間仕切り装置。
【請求項３】
前記複数の遮光部材(21)を平行に支持する前記ピッチキープコード(14)は、前記遮光部材(21)間の所定のピッチを変更可能に構成された請求項１又は２記載の間仕切り装置。
【請求項４】
前記芯材(22)の上縁に前記ピッチキープコード(14)を収容可能な凹溝(22h)が形成された請求項１ないし３いずれか１項に記載の間仕切り装置。
【発明の詳細な説明】
【技術分野】
【０００１】
本発明は、ヘッドレールに上端が取付けられたピッチキープコードを介してヘッドレールに平行に支持された複数の遮光部材を昇降コードにより昇降させ、日射遮蔽装置にも利用し得る間仕切り装置に関するものである。
【背景技術】
【０００２】
従来、家屋における窓等の開口部に室内側から取付けられる日射遮蔽装置が知られている。この日射遮蔽装置は、ヘッドレールにピッチキープコードの上端を取付け、そのピッチキープコードを介してヘッドレールに平行に遮光部材である複数のスラットを支持し、それら複数のスラットを昇降コードにより昇降させるようになっている。このような日射装置では、ピッチキープコードを介して鉛直方向に所定のピッチをあけて支持された遮光部材である複数のスラットをそれぞれ略鉛直にし、それにより上下の遮光部材の両端部を重合させることによりそれらの複数のスラットにより開口部を塞ぎ、昇降コードを上昇させて遮光部材である複数のスラットをたくし上げることにより、その開口部から採光できるようになっている。そして、近年、複数のスラットを上側と下側に分けて別々に開口部を塞ぎ又は採光し得るような日射遮蔽装置が提案されている（例えば、特許文献１参照。）。
【０００３】
このように複数のスラットを遮光部材として用いた日射遮蔽装置は、古くから事務室などの窓用調光具として使用されており、近時においてはインテリアとしての性格も重視され、また個人的、家庭的なレベルでも次第にその需要が増進する傾向にある。ここで、この日射遮蔽装置に使用される遮光部材であるスラットは、一般に１０数ｍｍ〜５０ｍｍ程度の幅寸法で、長さは１ｍ程度以上の細長く薄い例えばアルミニウム製の板材により形成される。そしてこの種のスラットは、自重による撓みを生じないようその幅方向が湾曲して形成され、その機械的強度を向上させている。このため、家庭における使用を考えた場合には、金属製のスラットは定型的にきれいに整っているという印象を与える反面、事務的で冷たい感じを与えるとともに、スラットの鋭がったエッジによって指を傷つけるという不具合も有していた。
【０００４】
このような不具合を解消するものとして、アルミニウム等の金属製の長尺板状のスラットを布地製カバーで被包して成るブラインド用スラットが開発されている。このカバーは、天然繊維、再生繊維、合成繊維等から成る織布、不織布より成り、このカバーはスラットの湾曲凸面を覆う表布と、そのスラットの湾曲凹面を覆う裏布とを備える。そして、裏布の幅方向における両側部は、スラットの側縁より突出した表布の両側部に接着や融着のような手段により結着してカバーを形成させている。そして、スラットをこのカバーで被覆した後にその裏布をスラットの湾曲凹面に接着や融着、その他の適宜の手段で更に結着し、カバーがスラットに対して移動することを防止している。また、近年ではその保温性を向上させるためにそのカバーのスラットの湾曲凸面を覆う表布に膨らみを持たせてみたり、その表布にプリーツやランダムな凹凸を設けたものが提案されている（例えば、特許文献２及び３参照。）。そして、このようなカバーによりスラットを覆うことにより事務的で冷たい感じを払拭させてその部屋等に合致させた暖かい雰囲気を与えるとともに、スラットの鋭がったエッジによって指を傷つけるような事態を回避できるとしている。
【特許文献１】特開２００６−１８３２４９号公報（請求項１、明細書［００１５］、図１）
【特許文献２】特開平７−４１５６号公報（明細書［００１０］、図１）
【特許文献３】特開平６−３４６６７２号公報（明細書［００１５］、図１）
【発明の開示】
【発明が解決しようとする課題】
【０００５】
しかし、上記従来の特許文献１に示された日射遮蔽装置を、例えば室内の中間部に設けて、その室内を仕切るような用途の間仕切り装置として使用すると、比較的多くのスラットを遮光部材として用いなければならない不具合があった。即ち、上記従来の特許文献１に示された日射遮蔽装置では、ピッチキープコードを介して鉛直方向に所定のピッチをあけて支持された遮光部材である複数のスラットをそれぞれ略鉛直にして上下のスラットの両端部を重合させることにより遮光するため、複数のスラットのピッチをそのスラットの幅と同一とするか、或いはスラット間のピッチをスラットの幅より小さくしなければならず、スラットの幅を拡大することが困難なことから、比較的多くのスラットを遮光部材として用いなければならない不具合があった。
【０００６】
また、上記従来の特許文献１に示された日射遮蔽装置を室内を仕切る間仕切り装置として使用すると、ピッチキープコードにスラットを取付けているため、上記従来の特許文献２及び３に示されたカバーにより全てのスラットを被覆するためには、予めそのピッチキープコードから取外された状態のスラットをカバーで被覆しなければならず、その工数が著しく増大する不具合があった。
更に、そのスラットを被覆するカバーにより描かれる柄等を変更したい場合にはスラットを被覆するカバーを変更することにより可能であるけれども、その際においても全てのスラットをピッチキープコードから取外し、その後取外された状態のスラットのカバーを交換しなければならず、その外観上の見栄えを変更することが著しく煩雑になる不具合があった。
【０００７】
本発明の目的は、複数の遮光部材のピッチが比較的広くても室内を仕切ることができる間仕切り装置を提供することにある。
本発明の別の目的は、外観上の見栄えの変更が比較的容易な間仕切り装置を提供することにある。
【課題を解決するための手段】
【０００８】
請求項１に係る発明は、図１に示すように、ヘッドレール１１と、ヘッドレール１１から垂下されたピッチキープコード１４と、ピッチキープコード１４に鉛直方向に所定のピッチをあけてヘッドレール１１に平行に支持された複数の遮光部材２１と、ヘッドレール１１から昇降可能に垂下され複数の遮光部材２１を貫通して下端が最下段の遮光部材２１に連結された昇降コード１２とを備えた間仕切り装置の改良である。
その特徴ある構成は、複数の遮光部材２１は、ヘッドレール１１に平行になるようにピッチキープコード１４に支持された芯材２２と、芯材２２の両側から垂下するように芯材２２に上縁が平板部材２４を介して取付けられた布材又は和紙２３とをそれぞれ有し、上記芯材２２の両側から垂下する布材又は和紙２３は芯材２２に取付けた状態での上縁から下縁までの長さが所定のピッチより長く形成され、上記芯材２２にはその断面形状において両側に互いに外側に向かって開口するＣ字状の座溝２２ｇが芯材の全長に亘って形成され、上記平板部材２４が前記座溝の開口部から座溝２２ｇに挿入可能であるけれども引き抜き不能でありかつ座溝の端縁より引き抜き及び再挿入可能であるところにある。
【０００９】
この請求項１に記載された間仕切り装置では、芯材２２に上縁が取付けられた布材又は和紙２３により遮光するで、芯材２２の両側から垂下した布材又は和紙２３の上縁から下縁までの長さを拡大することにより複数の遮光部材２１間の所定のピッチを拡大することができる。
【００１０】
請求項２に係る発明は、請求項１に係る発明であって、更に図３に示すように、平板部材２４を座溝の端縁より引く抜くことにより布材又は和紙２３の上縁は芯材２２に取外し可能に取付けられたことを特徴とする。
この請求項２に記載された間仕切り装置では、ピッチキープコード１４に芯材２２を取付けた状態で布材又は和紙２３を取付け、又は予め取付けられていた布材又は和紙２３を取外した後に別の新たな布材又は和紙２３を取付けることが可能となり、その布材又は和紙２３の交換を容易にして外観上の見栄えを変更することを比較的容易にすることができる。
【００１１】
請求項３に係る発明は、請求項１又は２に係る発明であって、更に図５に示すように、複数の遮光部材２１を平行に支持するピッチキープコード１４は、遮光部材２１間の所定のピッチを変更可能に構成されたことを特徴とする。
この請求項３に記載された間仕切り装置では、幅の異なる布材又は和紙２３に交換したとしても、その幅に所定のピッチを合わせて日射機能を確保することが可能となり、日射機能を確保しつつ容易に外観上の見栄えを変更することが可能となる。
【００１２】
請求項４に係る発明は、請求項１ないし３いずれか１項に係る発明であって、図６に示すように、芯材２２の上縁にピッチキープコード１４を収容可能な凹溝２２ｈが形成されたことを特徴とする。
この請求項４に記載された間仕切り装置では、図７に示すように、複数の遮光部材２１をたくし上げると、弛んだピッチキープコード１４が凹溝２２ｈに収容されるので、そのピッチキープコード１４が布材又は和紙２３の下縁から下方に飛び出して出現し、外観上の見栄えが悪化するような事態を有効に回避することができる。
【発明の効果】
【００１３】
以上述べたように、本発明によれば、複数の遮光部材は、ヘッドレールに平行になるようにピッチキープコードに支持された芯材と、芯材の両側から垂下するように芯材に上縁が取付けられた布材又は和紙とをそれぞれ有し、芯材の両側から垂下する布材又は和紙は芯材に取付けた状態での上縁から下縁までの長さが所定のピッチより長く形成したので、芯材の両側から垂下した布材又は和紙の上縁から下縁までの長さを拡大することにより複数の遮光部材間の所定のピッチを拡大することができる。そして、布材又は和紙の上縁は芯材に取外し可能に取付けられれば、その布材又は和紙の交換を容易にして外観上の見栄えを変更することを比較的容易にすることができる。そして、複数の遮光部材を平行に支持するピッチキープコードは、遮光部材間の所定のピッチを変更可能に構成すれば、日射機能を確保しつつ容易に外観上の見栄えを変更することが可能となる。
【発明を実施するための最良の形態】
【００１４】
次に本発明を実施するための最良の実施の形態を図面に基づいて説明する。
図１及び図２に示すように、間仕切り装置１０は、図示しないブラケットにより室内の天井に設けられたヘッドレール１１を備える。ヘッドレール１１の内部には、昇降コード１２が巻き付けられているドラム１３が軸着したシャフト（図示せず）が長尺方向に沿設される。ヘッドレール１１の端部には操作プーリ１６が設けられ、この操作プーリ１６に図示しないシャフトの端部が取付けられる。この操作プーリ１６には操作紐１７が巻回され、この操作紐１７を上下に操作することにより操作プーリ１６が回転可能に構成される。そして、操作プーリ１６の回転により図示しないシャフトが回転してドラム１３が回転し、これにより昇降コード１２が昇降可能に構成される。
【００１５】
また、このヘッドレール１１にはピッチキープコード１４の上端が取付けられ、このピッチキープコード１４はこのヘッドレール１１から垂下される。ピッチキープコード１４には鉛直方向に所定のピッチをあけてヘッドレール１１に平行に複数の遮光部材２１が支持され、ヘッドレール１１から昇降可能に垂下された昇降コード１２は複数の遮光部材２１を貫通して下端が最下段の遮光部材２１に連結される。
【００１６】
更に図３及び図４に示すように、本発明の特徴ある構成は、複数の遮光部材２１が、ヘッドレール１１に平行になるようにピッチキープコード１４に支持された芯材２２と、その芯材２２の両側から垂下するように芯材２２に上縁が取付けられた布材又は和紙２３とを有するところにある。この実施の形態における芯材２２は樹脂又は金属の押出成型品であって、ヘッドレール１１と略同一の長さに形成される。そして、図３の拡大図に示すように、この芯材２２の断面形状は、両側に互いに外側に向かって開口する座溝がそれぞれ形成された一対の溝部材２２ａ，２２ａと、その一対の溝部材２２ａ，２２ａの上部を連結する上連結部材２２ｂと、その一対の溝部材２２ａ，２２ａの下部を連結する下連結部材２２ｃとを備える。
【００１７】
図５に詳しく示すように、この実施の形態におけるピッチキープコード１４は、ヘッドレール１１から垂下されたコード本体１４ａと、そのコード本体１４ａに鉛直方向に所定のピッチをあけて固定された複数のストッパ球体１４ｂを備える。芯材２２における上下の連結部材２２ｂ，２２ｃには、それぞれストッパ球体１４ｂが通過可能な丸孔２２ｄと、その丸孔２２ｄに一端が連結しコード本体１４ａが通過可能であってかつストッパ球体１４ｂが通過不能なスリット２２ｅが鉛直方向にそれぞれ同軸に形成される（上連結部材２２ｂに形成されたもののみ示す。）。そして、この芯材２２は、丸孔２２ｄを介してコード本体１４ａを挿通させ、所定の位置においてそのコード本体１４ａをスリット２２ｅ側に移動させてストッパ球体１４ｂの上に上下の連結部材２２ｂ，２２ｃのいずれか一方又は双方を設置することにより、ピッチキープコード１４に鉛直方向に所定のピッチをあけてヘッドレール１１に平行に複数の芯材２２を支持するように構成される。従って、複数の遮光部材２１を平行に支持するピッチキープコード１４は、上下の連結部材２２ｂ，２２ｃのいずれか一方又は双方を設置するストッパ球体１４ｂを変更することにより、この芯材２２を有する遮光部材２１間の所定のピッチが変更可能に構成される。また、図示しないが、遮光部材２１間の所定のピッチを変更可能にするためのピッチキープコード１４の他の実施の形態としては、ストッパ球体１４ｂがコード本体１４ａに対して移動可能かつ任意の位置に固定できるようにしたもの、及びストッパ球体１４ｂを備えずにコード本体１４ａの任意の位置を挟持可能な機構を芯材２２に備えたもの、などが挙げられる。
【００１８】
また、芯材２２における上下の連結部材２２ｂ，２２ｃには、昇降コード１２が通過可能な挿通孔２２ｆが鉛直方向にそれぞれ同軸に形成される（図５には、上連結部材２２ｂに形成されたもののみ示す。）。そして、この挿通孔２２ｆに昇降コード１２を挿通させることにより、ヘッドレール１１に垂下されたその昇降コード１２は、複数の遮光部材２１を貫通して下端が最下段の遮光部材２１に連結される（図１〜図４）。
【００１９】
図３に示すように、芯材２２の両側を形成する一対の溝部材２２ａには、布材又は和紙２３の上縁がそれぞれ取付けられて、この布材又は和紙２３は芯材２２の両側から垂下される。ここで、布材２３としては、天然繊維、再生繊維、合成繊維等から成る織布、不織布、又はシート材が挙げられる。この布材又は和紙２３は芯材２２と略同一の長さを有し、幅である芯材２２に取付けられた上縁から下縁までの長さがピッチキープコード１４により支持された上下に隣接する芯材２２と芯材２２の間の所定のピッチより長く形成される。
【００２０】
芯材２２における一対の溝部材２２ａは対称構造であるので、一方の溝部材２２ａを代表して説明する。図３の拡大図に示すように、溝部材２２ａには、その長手方向に断面Ｃ字状の座溝２２ｇが全長に亘って形成される。この座溝２２ｇは狭められた開口部に比較して幅の広い奥行きを有する断面が円弧状に湾曲する長方形に形成されてその断面が湾曲したＣ字状に形成される。一方、この座溝２２ｇに挿入可能であるけれども開口部から引き抜き不能な平板部材２４が布材又は和紙２３の上縁に巻回されるか或いはその上縁に逢着又は接着される。そして、その布材又は和紙２３の上端とともにその平板部材２４を溝部材２２ａの長手方向の端縁からその座溝２２ｇに挿入して、布材又は和紙２３を座溝２２ｇにおける開口部から引き出すことにより溝部材２２ａに布材又は和紙２３の上縁を固定している。
【００２１】
また、この実施の形態では、ヘッドレール１１の幅方向の両側にも芯材２２の幅方向両側に形成された座溝２２ｇと同様の断面Ｃ字状の座溝１１ａが全長に亘って形成される。この座溝１１ａにあっても、狭められた開口部に比較して幅の広い奥行きを有する断面Ｃ字状に形成される。そして、この座溝１１ａに挿入可能であるけれども開口部から引き抜き不能な平板部材２４が布材又は和紙２３の上縁に巻回されるか或いはその上縁に逢着又は接着され、その布材又は和紙２３の上端とともにその平板部材２４をヘッドレール１１の長手方向の端縁からその座溝１１ａに挿入して、布材又は和紙２３を座溝１１ａにおける開口部から引き出すことによりヘッドレール１１に布材又は和紙２３の上縁を固定している。
【００２２】
このように、ヘッドレール１１及び芯材２２に布材又は和紙２３の上縁を固定することにより、布材又は和紙２３の上端とともにその平板部材２４を座溝１１ａ，２２ｇの長手方向の端縁から引き抜き、柄や色彩の異なる別の布材又は和紙２３をその上端とともに平板部材２４を座溝１１ａ，２２ｇにその端縁から再び挿入することが可能となり、布材又は和紙２３の上縁はヘッドレール１１及び芯材２２に取外し可能に取付けられる。
【００２３】
このように構成された間仕切り装置１０では、図１及び図３に示すように、昇降コード１２を降下させて、ピッチキープコード１４を介して複数の遮光部材２１を鉛直方向に所定のピッチをあけて支持させると、芯材２２の両側から垂下してその上縁から下縁までの長さが所定のピッチより長く形成された布材又は和紙２３の上下が、上下に存在する布材又は和紙２３の上下に重合する。これによりその布材又は和紙２３を有する複数の遮光部材２１により室内を仕切ることができる。
【００２４】
一方、昇降コード１２を上昇させると、最下段の遮光部材２１が上昇して、その上にある遮光部材２１を順次たくし上げることになる。従って、図２及び図４に示すように、室内を仕切る複数の遮光部材をたくし上げることにより、その仕切状態を解消することができるようになる。
【００２５】
また、この間仕切り装置１０では、芯材２２に上縁が取付けられた布材又は和紙２３により遮光するで、芯材２２の両側から垂下した布材又は和紙２３の上縁から下縁までの長さを拡大することは比較的容易である。従って、この幅を拡大することにより複数の遮光部材２１間の所定のピッチを拡大することが可能となり、複数の遮光部材２１のピッチが比較的広くても室内を仕切ることができる間仕切り装置１０を得ることができる。
【００２６】
また、布材又は和紙２３の上縁は芯材２２に取外し可能に取付けられたので、ピッチキープコード１４に芯材２２を取付けた状態で布材又は和紙２３を取付け、又は予め取付けられていた布材又は和紙２３を取外した後に別の新たな布材又は和紙２３を取付けることも可能になる。してみると、その布材又は和紙２３の取付けに係る工数が著しく増大することはなく、その布材又は和紙２３の交換が容易なことから、間仕切り装置１０の外観上の見栄えを変更することが比較的容易になる。
【００２７】
なお、上述した実施の形態では、芯材２２を構成する一対の溝部材２２ａ，２２ａの上部を上連結部材２２ｂにより連結する場合を説明したが、図６に示すように、一対の溝部材２２ａ，２２ａの上下方向における中間を上連結部材２２ｂにより連結して、両側が一対の溝部材２２ａ，２２ａにより挟まれて上連結部材２２ｂが底面となる凹溝２２ｈをその芯材２２の上縁に形成しても良い。この場合の凹溝２２ｈはピッチキープコード１４を収容可能な幅に形成することが好ましい。すると、図７に示すように、複数の遮光部材２１をたくし上げると、遮光部材２１間の所定の隙間が減少することからその遮光部材２１の間でピッチキープコード１４が弛むことになるけれども、その弛んだピッチキープコード１４が凹溝２２ｈに収容されるので、そのピッチキープコード１４が布材又は和紙２３の下縁から下方に飛び出して出現し、外観上の見栄えが悪化するような事態を有効に回避することができる。
【００２８】
また、上述した実施の形態では、ヘッドレール１１と略同一の長さに形成された芯材２２を有する遮光部材２１を説明したが、図８及び図９に示すように、遮光部材２１はヘッドレール１１より短く形成して、複数の遮光部材２１を直線状に連結させた状態でヘッドレール１１と同一の長さになるようにしても良い。このような間仕切り装置１０では、ヘッドレール１１の長手方向の全長の一部をしめる遮光部材２１のみを昇降させることが可能となり、いわゆるある空間を空中で仕切る暖簾のような用い方をすることができる。また、図９に示すように、遮光部材２１間の所定のピッチを変更させた複数の遮光部材２１を直線状に連結させれば、複数の遮光部材２１のそれぞれの下端の位置を異ならせた独特な外観を有する暖簾を得ることも可能となる。
【図面の簡単な説明】
【００２９】
【図１】本発明実施形態の間仕切り装置を示す正面図である。
【図２】その間仕切り装置の遮光部材がたくし上げられた状態を示す図１に対応する図である。
【図３】その間仕切り装置の側面図である。
【図４】その間仕切り装置の遮光部材がたくし上げられた状態を示す図３に対応する図である。
【図５】図１のＡ部拡大斜視図である。
【図６】別の芯材を示す断面図である。
【図７】その芯材の正面図である。
【図８】複数の遮光部材を直線状に連結させた間仕切り装置を示す図である。
【図９】その遮蔽部材間のピッチを変更させた間仕切り装置を示す図である。
【符号の説明】
【００３０】
１０  間仕切り装置
１１  ヘッドレール
１２  昇降コード
１４  ピッチキープコード
２１  遮光部材
２２  芯材
２２ｈ  凹溝
２３  布材又は和紙
【図１】
0005211280.tif 000002
【図２】
0005211280.tif 000003
【図３】
0005211280.tif 000004
【図４】
0005211280.tif 000005
【図５】
0005211280.tif 000006
【図６】
0005211280.tif 000007
【図７】
0005211280.tif 000008
【図８】
0005211280.tif 000009
【図９】
0005211280.tif 000010